(57)【要約】【課題】  断続的な送信（バースト送信）を行う送信装置において、隣接チャネルの通信を妨害することなく、送信装置の消費電力を低減する。【解決手段】  送信アンプ（増幅部）に電力の供給を開始した直後の送信アンプの利得１００が不安定な時期（送信アンプの立ち上がり時間３０１）からランプ処理を開始する（３０２）ことにより、全体の立ち上がり時間３００を短くし、送信アンプに電力を供給する期間を短縮する。このとき、送信アンプの過渡応答による影響を考慮に入れて、ランプ係数を算出、生成することにより、理想のランプ特性を実現し、送信信号の不要な周波数成分の発生を抑える。【選択図】        図３
2006279472.tif 000002
【特許請求の範囲】
【請求項１】
入力信号を変換して出力信号とし、所定の制御信号に基づいて上記出力信号の振幅を調整する変換部と、
上記変換部が変換した出力信号を増幅して送信信号として出力する増幅部と、
上記増幅部の利得が不安定である過渡応答期間においても、上記増幅部が出力する送信信号が所定の周波数帯域内に納まるよう上記変換部を制御する信号を、上記制御信号として生成する制御部と、
を有することを特徴とする送信装置。
【請求項２】
上記制御部は、
上記増幅部が送信信号を出力しない場合に、上記増幅部に供給する電力を低下させる
ことを特徴とする請求項１に記載の送信装置。
【請求項３】
上記制御部は、
上記送信信号の振幅が、所定のランプ特性を有するよう上記変換部を制御する制御信号を生成する
ことを特徴とする請求項１に記載の送信装置。
【請求項４】
上記変換部は、
上記入力信号に対応する波形データを生成する波形データ生成部と、
上記波形データ生成部が生成した波形データに上記制御部が生成した制御信号を乗じて、補償波形データとして算出する乗算部と、
上記乗算部が算出した補償波形データをデジタルアナログ変換して、上記出力信号を生成するデジタルアナログ変換部と、
を有することを特徴とする請求項１に記載の送信装置。
【請求項５】
上記送信装置は、更に、
上記増幅部の温度を測定する温度測定部
を有し、
上記制御部は、
上記温度測定部が測定した温度に基づいて、上記制御信号を生成する
ことを特徴とする請求項１に記載の送信装置。
【請求項６】
上記送信装置は、更に、
上記増幅部が出力した送信信号を測定する送信信号測定部
を有し、
上記制御部は、
上記送信信号測定部が測定した送信信号と、上記所定のランプ特性との誤差に基づいて、上記制御信号を生成する
ことを特徴とする請求項３に記載の送信装置。
【発明の詳細な説明】
【技術分野】
【０００１】
本発明は、例えば、断続的な送信を行う送信装置において、送信信号の不要な周波数成分を抑える技術に関する。
【背景技術】
【０００２】
断続的な送信を行う送信装置（バースト送信装置）においては、信号の送信開始時、送信終了時における送信信号のエンベロープの変化によって、不要な周波数成分が発生する（周波数の畳み込み現象）。
この課題の解決する手段として、従来、送信信号のエンベロープの変化に、理想とするランプ特性を持たせることによって、不要な周波数成分の発生を抑えること（ランプ処理）が行われている。
【０００３】
ランプ処理を実現する技術としては、例えば、特許文献１がある。
図１１は、特許文献１に示されたバースト送信装置を示す構成図である。
このバースト送信装置は、送信データ入力部８３１から入力されるデータをシリアルパラレル変換するシリアルパラレル変換器８３２と、バースト通信時の立ち上がり波形、立ち下がり波形を記憶するランプ波形記憶メモリ８３３と、ランプ波形を生成するためのクロック源８３６と、分周カウンタ８３７と、バースト制御部８３０と、ランプ区間以外の波形を生成する通常送信波形データ生成部８３８と、ランプ波形記憶メモリ８３３から出力される信号をバースト制御部８３０からの制御信号で切り換えるセレクタ８３４と、セレクタ８３４から出力される波形データをアナログ信号に変換するデジタルアナログ変換器８２３と、変調信号出力部８３５とで構成されている。
例えば、送信バースト信号の立ち上がり、立ち下がり区間では送信信号の波形データを入力信号に対してあらかじめランプ波形記憶メモリ８３３に記憶させておき、制御部８３０からの信号によりカウンタ８３７を動作させカウンタ８３７のカウント値によりランプ波形をランプ波形記憶メモリ８３３から読み出し出力する。出力された信号はセレクタ８３４により、制御部８３０からの信号で選択され、デジタルアナログ変換器８２３でアナログ信号に変換し出力される。
また、立ち上がり、立ち下がり以外の区間では、入力信号に対して波形整形処理を行う通常送信波形データ生成部８３８により波形生成された信号を制御部８３０からの信号により、セレクタ８３４で選択され、デジタルアナログ変換器８２３でアナログ信号に変換し、出力される。
【０００４】
また、バースト送信装置においては、送信を行わない期間は、送信アンプに電力を供給せず、消費電力を抑えることが行われている。
【特許文献１】特開平５−１５３１７５号公報
【発明の開示】
【発明が解決しようとする課題】
【０００５】
しかし、送信アンプへの電力の供給を開始した直後（過渡応答期間）は、送信アンプの利得が安定しない。
したがって、従来は、過渡応答の影響を避けるため、送信アンプに電力を供給する時間を、バースト信号を送信する時間に対して、前後に広げる必要があり、立ち上がり時間及び立ち下がり時間が長くなるという課題がある。
本発明は、例えば、上記のような課題を解決し、送信信号の不必要な周波数成分の発生を抑え、送信装置の消費電力を抑えることを目的とする。
【課題を解決するための手段】
【０００６】
本発明に係る送信装置は、
入力信号を変換して出力信号とし、所定の制御信号に基づいて上記出力信号の振幅を調整する変換部と、
上記変換部が変換した出力信号を増幅して送信信号として出力する増幅部と、
上記増幅部の利得が不安定である過渡応答期間においても、上記増幅部が出力する送信信号が所定の周波数帯域内に納まるよう上記変換部を制御する信号を、上記制御信号として生成する制御部と、
を有することを特徴とする。
【発明の効果】
【０００７】
本発明によれば、過渡応答期間の経過を待たずに、送信信号を出力しても、不要な周波数成分が抑えられるので、隣接したチャネルの通信を妨害することなく、送信装置の消費電力を抑えられるとの効果を奏する。
【発明を実施するための最良の形態】
【０００８】
実施の形態１．
実施の形態１を図１〜図５を用いて説明する。
【０００９】
図１は、この実施の形態におけるバースト送信装置２００（送信装置の一例）の全体構成の一例を示す図である。
変調部２２０（変換部の一例）は、ランプ処理を行う。変調部２２０は、送信パラレルデータ４０２（入力信号の一例）を波形整形する波形生成フィルタ２２１（波形データ生成部の一例）と、ランプ処理を行う乗算器２２２（乗算部の一例）と、デジタル信号をアナログ信号に変換するデジタルアナログ変換器２２３（ＤＡＣ）と、デジタルアナログ変換器が出力したアナログ信号の高調波成分を除去するローパスフィルタ２２４（ＬＰＦ）と、Ｉ、Ｑベースバンド信号を直交変調し、無線信号（出力信号の一例）を生成する直交変調器２２５とを有する。
送信アンプ２５０（増幅部の一例）は、直交変調器２２５が直交変調した無線信号を増幅して送信信号１５３とし、アンテナ２６０より出力する。
バースト制御部２３０（制御部の一例）は、送信アンプ２５０のオンオフ制御及びランプ処理時のランプ係数１５１（制御信号の一例）を出力する。
メモリ２４０は、ランプ係数を記憶する。
【００１０】
なお、バースト制御部２３０は、ＣＰＵ（Ｃｅｎｔｒａｌ  Ｐｒｏｃｃｅｓｓｉｎｇ  Ｕｎｉｔ：中央制御装置）と、ＲＯＭ等の不揮発性メモリに記憶したプログラムによって構成してもよい。あるいは、ハードウェアによって構成してもよい。他の構成要素についても同様である。
【００１１】
次に動作について説明する。
【００１２】
波形生成フィルタ２２１は、送信パラレルデータ４０２を入力し、入力された送信パラレルデータ４０２を波形生成し出力する。すなわち、送信パラレルデータ４０２に基づいて、送信信号のもととなる波形（波形データの一例）を生成し、出力する。波形生成フィルタ２２１が生成する波形は、送信パラレルデータ４０２の伝送クロック周波数よりも高い所定の周波数でサンプリングされたデジタルデータとして出力する。
例えば、送信信号の周波数帯域が狭く制限されている場合、波形生成フィルタ２２１は、いわゆるナイキストフィルタとして働き、シンボル間の干渉を防ぐ。
【００１３】
乗算器２２２は、波形生成フィルタ２２１が出力した波形に、バースト制御部２３０が出力したランプ係数１５１を乗じて、波形の振幅を調整し、補償波形データとする。ランプ処理を行っていないときは、ランプ係数１５１は１であるから、波形生成フィルタ２２１が出力した波形をそのまま出力する。
【００１４】
デジタルアナログ変換器２２３は、乗算器２２２が出力した補償波形データをデジタルアナログ変換して、実際の出力波形を得る。
【００１５】
ローパスフィルタ２２４は、量子化に伴う出力波形の高調波成分を除去する。
【００１６】
直交変調器２２５は、２つのローパスフィルタ２２４からの信号を合成する。ローパスフィルタ２２４からの信号は、搬送波の移相が９０度異なっており、この２つの信号を合成することにより、直交変調となる。
なお、変調方式は、直交変調に限らず、周波数変調、位相変調等、他の変調方式でも構わない。
【００１７】
送信アンプ２５０は、直交変調器２２５が出力した出力信号を送信レベルまで増幅して送信信号１５３とし、アンテナ２６０から出力する。
【００１８】
バースト送信においては、送信を行う時期と、送信を行わない時期がある。
何も送信していない状態（出力ゼロ）から、送信を開始した場合、一気に出力最大の状態で送信を行うと、送信信号のエンベロープが急激に変化するため、それに伴う周波数成分が発生する（周波数の畳み込み現象）。
出力最大での送信状態から、急に送信を終了した場合も同様である。
【００１９】
狭い周波数帯域を分割して送信を行う場合、このような周波数成分が隣接チャネルに漏洩すると、隣接チャネルの通信を妨害する雑音となるため、このような漏れ周波数成分の発生を抑える必要がある。
また、このような漏れ周波数成分は、信号の伝達に貢献しない無駄な電力を消費するので、漏れ周波数成分を抑えれば、バースト送信装置２００の消費電力を抑えることにもなる。
【００２０】
そこで、出力ゼロの状態から徐々に出力最大の状態に変化させる（あるいは、その逆）ことにより、このような漏れ周波数成分の発生を抑えることが行われている。これをランプ処理といい、このときの時間軸に対する出力の変化をランプ特性という。
【００２１】
図２は、従来例において、送信開始時に送信アンプが出力する送信信号１５３のエンベロープの一例を示す図である。
この図に示すように、送信信号１５３の振幅を徐々に変化させることにより、送信信号のエンベロープ１５０をなだらかな曲線として、漏れ周波数成分の発生を抑えている。
【００２２】
理想的なランプ特性は、所定の関数を用いて計算により求めることができる。この関数は窓関数と呼ばれている。許容される漏れ周波数成分の大きさ及び立ち上がり時間を考慮して、目的に合った窓関数を選択する。
【００２３】
一方、何も送信していない状態では、送信アンプ２５０に電力を供給しないことにより、バースト送信装置２００の消費電力を抑え、送信を行うときだけ、送信アンプ２５０に電力を供給するものとする。
なお、何も送信しない場合であっても、電力を遮断するのではなく、供給する電圧を低下させて消費電力を抑えることとしてもよい。
バースト制御部２３０は、送信アンプ電力制御信号１５２を生成し、送信アンプ２５０には、送信アンプ電力制御信号１５２により、電力供給が指示された場合にのみ、電力が供給される。
【００２４】
しかし、送信アンプ２５０は通常、電力の供給を開始した直後は利得が安定しない。ここでは、このように送信アンプ２５０の利得の安定しない期間のことを過渡応答期間と呼ぶこととする。
図２において、送信アンプ２５０は、電力の供給を開始した直後は、送信アンプの利得１００が通常時よりも小さく、送信アンプの利得１００が安定するのは、送信アンプの立ち上がり時間３０１（過渡応答期間）が経過した後である。
従来は、送信アンプ２５０に電力の供給を開始した後、過渡応答期間が過ぎて利得が安定するのを待ってからランプ処理を開始していた。したがって、バースト送信装置２００全体の立ち上がり時間３００は、送信アンプ２５０の立ち上がり時間３０１（過渡応答期間）と、ランプ処理にかかる時間３０２との合計となるので、その分、全体の立ち上がり時間３００が長くなっていた。
【００２５】
図３は、この実施の形態において、送信開始時に送信アンプ２５０が出力する送信信号のエンベロープ１５０の一例を示す図である。
この実施の形態では、図３に示すように、送信アンプの立ち上がり時間３０１と、ランプ処理時間３０２とが重なるように制御することにより、全体の立ち上がり時間３００を短縮する。
【００２６】
そのため、送信アンプ２５０の利得の立ち上がり特性をあらかじめ測定しておく。
図４は、送信アンプ２５０への電力供給開始時、及び、電力供給遮断時における、送信アンプ２５０の利得の変化の一例を示す図である。
すなわち、図４に示すように、所定のサンプリング周期で、送信アンプ２５０の電力供給開始時における利得１００を測定する。この例では、送信アンプ２５０の立ち上がり時間３０１の間に８個のサンプリング点１０１〜１０８でデータを測定している。
これとは別に、理想のランプ係数をあらかじめ計算により求めておく。すなわち、選択した窓関数に基づいて、ランプ処理中の所定の時点における送信信号のエンベロープ１５０の大きさ（通常送信時の送信信号の振幅を１とした比率）を求める。
次に、各サンプリング点１０１〜１０８において測定した送信アンプの利得と、理想のランプ係数との比を求め、ランプ係数として、メモリ２４０に記憶させる。
図５は、この実施の形態において、測定した送信アンプの利得１００と、理想のランプ特性とから、計算により求めたランプ係数の一例を示す図である。
【００２７】
ランプ処理時には、メモリ２４０が記憶したランプ係数をバースト制御部２３０が読み出して、出力する（制御信号の一例）。
波形生成フィルタ２２１が出力した波形データに、乗算器２２２がランプ係数を乗じるので、直交変調器２２５が出力する出力信号は、通常送信時と比べて、ランプ係数倍の信号となる。
例えば、サンプリング点１０１の時点では、直交変調器２２５が出力する出力信号は、通常送信時の０．５倍である。
一方、送信アンプ２５０の利得は、通常送信時の０．０４倍であるから、実際に送信アンプ２５０が出力する送信信号は、０．５×０．０４＝０．０２倍となり、理想のランプ係数と等しくなる。
【００２８】
ランプ処理時間においてこの処理を繰り返すことにより、送信信号のエンベロープ１５０は、選択した窓関数に基づく理想のランプ特性を有するものになる。
【００２９】
あるいは、以下の方法でランプ係数を求めてもよい。
すなわち、各サンプリング点１０１〜１０８を変化させ、送信アンプ２５０が出力する送信信号の隣接チャネル漏洩電力が最小となるように調整を行う。
この際、調整するランプ処理のサンプリング点はあらかじめ、理想的な窓関数より算出したランプ係数よりスタートし、隣接チャネル漏洩電力に影響する量が大きい振幅の大きな点より調整を行う。
つまり、立ち上がりランプ処理の場合、サンプリング点１０８から調整し、１０７、１０６、１０５、１０４、１０３、１０２、１０１の順で調整する。
【００３０】
なお、送信アンプ２５０の特性によっては、送信アンプ２５０への電力供給開始と同時に送信信号を立ち上げ始める（図３の１９０）と、送信アンプ２５０の利得より大きな出力をしなければならない場合がある。しかし、送信アンプ２５０の利得を上回る出力を得ることはできないので、理想的なエンベロープを得ることは出来ない。
【００３１】
そこで、その場合には、送信アンプの電力供給開始から少し時間を置いてから、送信信号を立ち上げ始める必要がある（図３の１５０）。
しかし、この待ち時間は、送信アンプの立ち上がり時間３０１（過渡応答時間）が過ぎるまで待つことに比べると小さい。
したがって、全体の立ち上がり時間３００が短縮できる。
【００３２】
このように、送信アンプ２５０の電力供給開始時における立ち上がり特性を補償する形でランプ係数を定めておき、ランプ係数を乗じた大きさの信号を送信アンプ２５０に入力することにより、理想のランプ特性を持つ送信信号のエンベロープ１５０を得ることができる。その結果、隣接チャネルに漏洩する漏れ周波数成分が低減できるので、他のチャネルの通信を妨害することがなく、しかも、消費電力を抑えることができる。
更に、送信アンプ２５０の過渡応答期間が経過するのを待たずに、ランプ処理を開始できるので、全体の立ち上がり時間を短縮することができる。
【００３３】
送信終了時において、送信アンプ２５０へ供給する電力を遮断しても、すぐに送信アンプの利得１００がゼロになるわけではなく、一定の立ち下がり曲線を描いて、徐々に出力が下がり、やがてゼロとなる（図４の１１１〜１１８）。
【００３４】
そこで、上述した電力供給開始時と同様に、立ち下がり特性をあらかじめ測定しておき、それを考慮に入れてランプ係数を定めておけば、立ち下がり時におけるランプ処理が終了するのを待たずに、送信アンプ２５０への電力供給を遮断することができるので、全体の立ち下がり時間を短縮することができる。
【００３５】
これにより、バースト送信装置２００全体の立ち上がり時間及び立ち下がり時間が短縮できるので、送信アンプ２５０に電力を供給しなければならない時間が短くなり、バースト送信装置２００全体の消費電力を抑えることができる。
【００３６】
また、ランプ処理を乗算器２２２により行うので、ランプ係数に対応する複数の波形を波形生成フィルタ２２１が生成する必要がない。これにより、波形を記憶するメモリが少なくて済む。
【００３７】
以上説明したように、このバースト送信装置は、ランプ処理回路を乗算器で構成し、送信アンプ出力端で隣接チャネル漏洩電力が最小となるように、あらかじめ算出または調整されたランプ係数を記憶するメモリを有し、送信バーストタイミングにあわせてメモリに記憶されている最適なランプ係数を乗算器に出力しランプ処理を行うものである。
【００３８】
このように、あらかじめ送信アンプ出力端で隣接チャネル漏洩電力が最小となるように調整したランプ係数をメモリに記憶させ、メモリに記憶させたランプ係数と送信信号を乗算器によりランプ処理を行うことで、送信アンプ出力端で隣接チャネル漏洩電力を低減させる効果がある。
【００３９】
実施の形態２．
実施の形態２を図６を用いて説明する。
図６は、この実施の形態におけるバースト送信装置２００（送信装置の一例）の全体構成の一例を示す図である。
バースト送信装置２００は、変調部２２０（変換部の一例）と、送信アンプ２５０（増幅部の一例）と、アンテナ２６０と、バースト制御部２３０と、メモリ２４０と、温度センサ２７０（温度測定部の一例）とを有する。
このうち、変調部２２０、送信アンプ２５０、アンテナ２６０は、実施の形態１で説明したものと同一であるため、ここでは説明を省略する。
温度センサ２７０は、送信アンプ２５０の温度を測定する。あるいは、バースト送信装置２００の内部の温度を測定することとしてもよい。
バースト制御部２３０は、実施の形態１で説明したのと同様に、あらかじめメモリ２４０が記憶したランプ係数を読み出して、ランプ制御を行う。
ここで、メモリ２４０は、温度センサ２７０が測定した送信アンプ２５０の温度に対応して、複数組のランプ係数を記憶しており、バースト制御部２３０は、温度センサ２７０が測定した送信アンプ２５０の温度を取得して、それに対応するランプ係数を読み出す。
【００４０】
送信アンプ２５０の立ち上がり特性及び立ち下がり特性は、温度によって変化する場合がある。
したがって、送信アンプ２５０の温度にかかわらず、一組のランプ係数を用いたのでは、理想のランプ特性を得ることができない。
【００４１】
そこで、この実施の形態では、温度センサ２７０が送信アンプ２５０の温度を測定し、送信アンプ２５０の温度に合わせたランプ係数を用いることで、理想のランプ特性を得るようにしたものである。
【００４２】
すなわち、各温度帯ごとに、送信アンプ２５０の電力供給開始時及び電力供給遮断時における立ち上がり特性及び立ち下がり特性をあらかじめ測定しておき、それぞれの温度帯ごとに、最適なランプ係数を計算により求めて、あらかじめメモリ２４０が記憶しておく。
【００４３】
温度センサ２７０は、定期的に（例えば１秒周期）送信アンプ２５０の温度を測定する。
バースト制御部２３０は、温度センサ２７０が測定した温度が属する温度帯に対応するランプ係数を、メモリ２４０から読み出し、送信バーストタイミングにあわせて、乗算器２２２に出力する。
【００４４】
このように、装置内の温度変動を考慮して、ランプ係数に対する温度補償を実施することで、送信アンプ２５０の過渡応答特性が温度により変動した場合においても、理想のランプ特性を有する送信信号を出力できるので、隣接チャネル漏洩電力を低減でき、他のチャネルの通信を妨害せず、しかも、バースト送信装置２００の消費電力を抑えることができる。
【００４５】
以上説明したように、このバースト送信装置は、装置内部に温度センサと一定の温度範囲ごとに送信アンプ出力端で隣接チャネル漏洩電力が最小となるように、あらかじめ算出または調整されたランプ係数を記憶するメモリを有し、温度センサにより検出された温度ごとに最適なランプ係数を乗算器に出力するものである。
【００４６】
このように、各温度帯にあわせたランプ係数をあらかじめ調整または算出し、メモリに記憶させ、装置内の温度センサにより装置内部温度を測定し、この温度に対応した温度帯のランプ係数を用いてランプ処理を行うことにより、送信アンプの過渡応答特性が温度により変動した場合においても、隣接チャネル漏洩電力を低減する効果がある。
【００４７】
実施の形態３．
実施の形態３を図３及び図７を用いて説明する。
図７は、この実施の形態におけるバースト送信装置２００（送信装置の一例）の全体構成の一例を示す図である。
バースト送信装置２００は、変調部２２０（変換部の一例）と、送信アンプ２５０（増幅部の一例）と、アンテナ２６０と、バースト制御部２３０と、メモリ２４０と、温度センサ２７０（温度測定部の一例）と、バーストタイミング調整回路２８０とを有する。
このうち、変調部２２０、送信アンプ２５０、アンテナ２６０、バースト制御部２３０、メモリ２４０、温度センサ２７０は、実施の形態２で説明したものと同一であるため、ここでは説明を省略する。
バーストタイミング調整回路２８０は、バースト送信の開始時及び終了時において、送信アンプ２５０に対する電力供給のタイミングを調整する。
【００４８】
実施の形態１において説明したように、送信アンプ２５０の過渡応答特性によっては、送信アンプ２５０への電力供給開始と、送信信号１５３の立ち上がりとの間のタイミングをずらす必要のある場合がある（図３）。
あるいは、装置内部における遅延時間の影響を排除するため、送信アンプ２５０の電力供給のタイミングを調整する必要のある場合がある。
【００４９】
この実施の形態は、バースト制御部２３０が生成する送信アンプ２５０の電力供給を制御する信号のタイミングは固定とし、バーストタイミング調整回路２８０が上述したタイミングの調整を行って、送信アンプ電力制御信号１５２を生成するものである。
しかし、タイミング調整用の専用回路を設けず、バースト制御部２３０でこのような調整を行い、タイミングを調整した送信アンプ電力制御信号１５２を生成することとしてもよい。
【００５０】
具体的には、図７に示すように、実施の形態２で示した構成に、バーストタイミング調整回路２８０を追加し、送信アンプ２５０の出力端で送信バースト立ち上がり、立ち下がり時間が最小となるように送信アンプの電力制御信号を調整した後、送信アンプ２５０の出力端で隣接チャネル漏洩電力が最小となるようにランプ係数を調整または算出し、このランプ係数をメモリ２４０が記憶する。
そして、実施の形態２と同様に、バースト制御部２３０はランプ係数をメモリ２４０から読み出し、バースト制御部２３０で送信バーストタイミングにあわせて乗算器２２２に出力する。
【００５１】
これにより、送信アンプの過渡応答特性や装置内部の遅延時間にかかわらず、理想のランプ特性を有する送信信号を出力できるので、送信バースト信号の立ち上がり、立ち下がり時間を最小とすることができ、かつ、隣接チャネル漏洩電力を低減できるので、隣接チャネルの通信を妨害することがなく、しかも、バースト送信装置の消費電力を抑えることができる。
【００５２】
以上説明したように、このバースト送信装置は、送信アンプのオンオフ制御信号を調整するバーストタイミング調整回路と送信バーストの立ち上がり、立ち下がり時間が最適となるタイミングを記憶するメモリを有し、バーストタイミング調整回路により調整された送信アンプのバースト過渡応答特性に対して隣接チャネル漏洩電力が最小となるように、あらかじめ算出または調整されたランプ係数をメモリに記憶し、送信バーストタイミングにあわせてメモリの記憶されている最適なランプ係数を乗算器に出力するものである。
【００５３】
このように、送信アンプのオンオフのタイミングを調整する回路を用いることにより、送信バースト立ち上がり、立ち下がり時間を最小とする効果がある。
【００５４】
実施の形態４．
実施の形態４を図４及び図８〜図１０を用いて説明する。
図８は、この実施の形態におけるバースト送信装置２００（送信装置の一例）の全体構成の一例を示す図である。
バースト送信装置２００は、変調部２２０（変換部の一例）と、送信アンプ２５０（増幅部の一例）と、アンテナ２６０と、バースト制御部２３０と、バーストタイミング調整回路２８０と、分配器２９１と、検波器２９２と、アナログデジタル変換器２９３（ＡＤＣ）と、ランプ係数生成回路２９４とを有する。
このうち、変調部２２０、送信アンプ２５０、アンテナ２６０、バースト制御部２３０、バーストタイミング調整回路２８０は、実施の形態３で説明したものと同一なので、ここでは説明を省略する。
【００５５】
分配器２９１は、送信アンプ２５０の出力を分配する方向性結合器である。
検波器２９２は、分配器２９１が分配した送信信号のエンベロープを検出する。
アナログデジタル変換器２９３は、アナログ信号をデジタル信号に変換する。
ランプ係数生成回路２９４は、検出した送信信号のエンベロープから、ランプ係数１５１を自動的に算出する。
【００５６】
図９は、この実施の形態におけるランプ係数生成回路２９４の内部構成の一例を示す詳細説明図である。
ランプ係数調整部５７０は、各サンプリング点（図４の１０１〜１０８及び１１１〜１１８）ごとに、送信信号のエンベロープの誤差を積分することにより、ランプ係数を調整する。この例では、ランプ係数調整部５７０は１６個（＝サンプリング点１０１〜１０８、１１１〜１１８の数）存在し、各ランプ係数調整部５７０が、それぞれのサンプリング点におけるランプ係数を担当する。
なお、この例では、送信アンプ２５０の温度を考慮していないが、実施の形態２で説明したように、送信アンプ２５０の温度を考慮して、温度帯ごとに異なるランプ係数を用いる場合には、ランプ係数調整部５７０は、サンプリング点の数×区別する温度帯の数、設けてもよい。
しかし、温度が変化して、送信アンプの立ち上がり特性が変化しても、フィードバックにより、ランプ係数が変化してこれを補うので、温度帯を区別しなくてもよい。そのほうが、送信装置の構成を簡略にでき、好ましい。
【００５７】
ラッチ回路５７１は、アナログデジタル変換器２９３がデジタル信号に変換した送信信号のエンベロープを、ランプ処理のサンプリングのタイミングに合わせてホールド（記憶）する。
エンベロープ理想値記憶部５７２は、理想的なランプ特性に基づいて算出した理想的な送信信号のエンベロープの値（エンベロープ理想値）を記憶している。
減算器５７３は、ラッチ回路５７１が記憶した送信信号のエンベロープから、エンベロープ理想値記憶部５７２が記憶したエンベロープ理想値を減じて、エンベロープ理想値からの誤差を算出する。
重み付け係数記憶部５７５は、エンベロープの誤差を、ランプ係数に反映させるフィードバックの係数（重み付け係数）を記憶する。重み付け係数は、フィードバックの量を表すものなので、負の値である。重み付け係数の絶対値が大きいほうが収束が早くなるが、大き過ぎると発散（振動）してしまうので、適切な値を選択する必要がある。
乗算器５７４は、減算器５７３が算出したエンベロープの誤差に、重み付け係数記憶部５７５が記憶した重み付け係数を乗じる。
ラッチ回路５７９は、そのランプ係数調整部５７０が担当するサンプリング点におけるランプ係数を記憶する。
加算器５７６は、ラッチ回路５７９が記憶したランプ係数に、乗算器５７４の出力を加えて、誤差信号を積分することにより、ランプ係数を調整し、新しいランプ係数を算出する。
通常時ランプ係数記憶部５７８は、ランプ処理区間以外の時期におけるランプ係数を記憶する。
セレクタ５７７は、ランプ処理におけるタイミングによって、入力するランプ係数調整部５７０を切り換えて、ランプ係数を選択し出力する。
【００５８】
次に動作について説明する。
【００５９】
まず、送信信号のエンベロープを検出するため、分配器２９１が、送信アンプ２５０が出力した送信信号１５３を分配する。
検波器２９２は、分配器２９１が分配した送信信号を検波して、送信信号のエンベロープ１５０を検出する。
アナログデジタル変換器２９３は、検波器２９２が検出した送信信号のエンベロープをデジタル値に変換する。
バースト制御部２３０は、それぞれのランプ係数調整部５７０が担当するランプ処理のサンプリングのタイミングを知らせるサンプリング信号を出力する。
ラッチ回路５７１は、バースト制御部２３０が出力したサンプリング信号に基づいて、ランプ処理のサンプリングのタイミングで、アナログデジタル変換器２９３の出力したデジタル値をホールド（記憶）する。
減算器５７３は、ラッチ回路５７１がホールドした送信信号のエンベロープのデジタル値から、エンベロープ理想値記憶部５７２が記憶したエンベロープ理想値を減じて、差分をとり、エンベロープ理想値からの誤差（誤差信号）を算出する。
乗算器５７４は、減算器５７３が算出した誤差信号に、重み付け係数記憶部５７５が記憶した重み付け係数を乗じて、フィードバック信号を算出する。
ラッチ回路５７９は、そのランプ係数調整部５７０が担当するサンプリング点におけるランプ係数を記憶している。
加算器５７６は、ラッチ回路５７９が記憶したランプ係数に、乗算器５７４が出力したフィードバック信号を加えることにより、ランプ係数を調整し、新しいランプ係数を算出する。
ラッチ回路５７９は、そのランプ係数調整部５７０が担当するサンプリング点のタイミングで、加算器５７６が算出した新しいランプ係数を記憶する。
したがって、１回サンプリングを行うごとに、ラッチ回路５７９が記憶するランプ係数が調整され、理想の値に近づいていく。
【００６０】
セレクタ５７７は、各サンプリング点において、そのサンプリング点を担当するランプ係数調整部５７０に入力を切り換えて、ランプ係数調整部５７０が調整したランプ係数を出力する。
【００６１】
このようにして出力されたランプ係数は、実施の形態１で説明したように、乗算器２２２が入力し、ランプ処理が行われる。
【００６２】
図１０は、この実施の形態において、ランプ係数の調整過程の一例を示す図である。
この図におけるランプ係数ｒ（ｎ）（ｎは自然数）は、ラッチ回路５７９が記憶しているものである。
ランプ係数ｒ（ｎ）は、各サンプリング点ごとに、担当するランプ係数調整部５７０のラッチ回路５７９が記憶しているが、ここでは、サンプリング点１０５（図４、図５）におけるランプ係数を例に取って説明する。
【００６３】
初期状態において、ラッチ回路５７９は、ランプ係数ｒ（１）として１を記憶しているものとする。
また、重み付け係数記憶部５７５は、重み付け係数ｍとして−１を記憶しているものとする。
【００６４】
サンプリング点１０５において、送信アンプ２５０は過渡応答期間にあるので、送信アンプ２５０の利得は通常時の０．７５倍である。したがって、出力される送信信号は、通常時の０．７５倍の振幅である。
これを、分配器２９１、検波器２９２、アナログデジタル変換器２９３により測定する。ラッチ回路５７１は、サンプリング点１０５のタイミングで、これを記憶するので、ラッチ回路５７１は、測定値０．７５を記憶する。
これに対し、サンプリング点１０５において、選択した窓関数より求めた理想のランプ特性は、０．５０である。この値は、エンベロープ理想値記憶部５７２が記憶している。
したがって、減算器５７３が算出する誤差は、０．２５となる。
乗算器５７４が、これに重み付け係数記憶部５７５が記憶する重み付け係数（−１）を乗じて、フィードバック信号（−０．２５）を算出する。
加算器５７６が、これを、ラッチ回路５７９が記憶したランプ係数（１．００）に加えて、次回使用するランプ係数（０．７５）を算出する。
ラッチ回路５７９は、加算器５７６が算出した新しいランプ係数（０．７５）を記憶し、次回に備える。
【００６５】
次回のバースト送信開始時にも、同様の計算を繰り返す。２回目は、上記で求めたランプ係数０．７５を使って送信を行い、その結果、新しいランプ係数０．６８８を算出して、次回のランプ係数とする。
【００６６】
これを繰り返すことにより、この場合、６回目には、ラッチ回路５７９が記憶するランプ係数が理論値（０．６６７）とほぼ等しくなり、理想のランプ特性を得ることができる。
【００６７】
なお、送信アンプ２５０の利得Ｇが小さいサンプリング点（１０１、１１８等）においては、ランプ係数ｒが出力Ｅに与える影響が少ないことから、重み付け係数ｍの絶対値を大きくすることによって、フィードバックを大きくすれば、収束を早くすることができる。
このとき、送信アンプ２５０の利得Ｇと重み付け係数ｍの積の絶対値が１以下となるように、重み付け係数を設定すれば、系が発散（振動）することはない。
【００６８】
このように、フィードバック制御によって自動的にランプ係数を調整する構成とすれば、あらかじめ送信アンプ２５０の立ち上がり特性、立ち下がり特性を測定しておかなくても、理想のランプ特性を得ることができる。また、あらかじめ算出したランプ特性を記憶するメモリ２４０も不要となる。
これにより、隣接チャネル漏洩電力を低減できるので、隣接するチャネルの通信を妨害することがなく、しかも、バースト送信装置２００の消費電力を抑えることができる。
【００６９】
また、ランプ処理時間３０２以外の通常時においても、ランプ係数を１に固定しないほうが、隣接チャネルに漏洩する漏れ周波数成分を低減できる。立ち上がり時及び立ち下がり時以外の通常時における窓関数は、ほぼフラットなものを選択したとしても、完全にフラットではない場合があるからである。
【００７０】
そこで、この実施の形態では、通常時におけるランプ係数を通常時ランプ係数記憶部５７８が記憶し、セレクタ５７７が選択して出力することにより、通常時においても、選択した窓関数に合致する送信信号のエンベロープを実現する。
【００７１】
このように、ランプ処理時以外の通常時においても、ランプ係数を制御し、理想のランプ特性とすることにより、隣接チャネル漏洩電力を更に低減できるので、隣接チャネルの通信を妨害することなく、しかも、バースト送信装置２００の消費電力を抑えることができる。
【００７２】
以上説明したように、このバースト送信装置は、ランプ処理回路を乗算器で構成し、送信アンプ出力端に方向性結合器と検波器を有し、検出した送信バースト信号のエンベロープが理想的な窓関数によるランプ特性となるように自動的にランプ係数を更新するものである。
【００７３】
このように、送信アンプ出力端でのランプ特性が窓関数を用いた理想的な特性となるように自動的にランプ係数を更新することにより、送信アンプ出力端での隣接チャネル漏洩電力を低減できる効果がある。
【図面の簡単な説明】
【００７４】
【図１】実施の形態１におけるバースト送信装置２００（送信装置の一例）の全体構成の一例を示す図。
【図２】従来例において、送信開始時に送信アンプが出力する送信信号のエンベロープの一例を示す図。
【図３】実施の形態１において、送信開始時に送信アンプ２５０が出力する送信信号のエンベロープ１５０の一例を示す図。
【図４】送信アンプ２５０への電力供給開始時、及び、電力供給遮断時における、送信アンプ２５０の利得の変化の一例を示す図。
【図５】実施の形態１において、測定した送信アンプの利得１００と、理想のランプ特性とから、計算により求めたランプ係数の一例を示す図。
【図６】実施の形態２におけるバースト送信装置２００（送信装置の一例）の全体構成の一例を示す図。
【図７】実施の形態３におけるバースト送信装置２００（送信装置の一例）の全体構成の一例を示す図。
【図８】実施の形態４におけるバースト送信装置２００（送信装置の一例）の全体構成の一例を示す図。
【図９】実施の形態４におけるランプ係数生成回路２９４の内部構成の一例を示す詳細説明図。
【図１０】実施の形態４において、ランプ係数の調整過程の一例を示す図。
【図１１】従来技術におけるバースト送信装置の一例を示す図。
【符号の説明】
【００７５】
２００  バースト送信装置、２２０  変調部、２２１  波形生成フィルタ、２２２  乗算器、２２３  デジタルアナログ変換器、２２４  ローパスフィルタ、２２５  直交変調器、２３０  バースト制御部、２４０  メモリ、２５０  送信アンプ、２６０  アンテナ、２７０  温度センサ、２８０  バーストタイミング調整回路、２９１  分配器、２９２  検波器、２９３  アナログデジタル変換器、２９４  ランプ係数生成回路、５７０  ランプ係数調整部、５７１  ラッチ回路、５７２  エンベロープ理想値記憶部、５７３  減算器、５７４  乗算器、５７５  重み付け係数記憶部、５７６  加算器、５７７  セレクタ、５７８  通常時ランプ係数記憶部、５７９  ラッチ回路、１００  送信アンプの利得、１０１〜１０８，１１１〜１１８  サンプリング点、１５０  送信信号のエンベロープ、１５１  ランプ係数、１５２  送信アンプ電力制御信号、１５３  送信信号、３００  バースト送信装置全体の立ち上がり時間、３０１  送信アンプの立ち上がり時間、３０２  ランプ処理時間、４０２  送信パラレルデータ。
【図１】
2006279472.tif 000003
【図２】
2006279472.tif 000004
【図３】
2006279472.tif 000005
【図４】
2006279472.tif 000006
【図５】
2006279472.tif 000007
【図６】
2006279472.tif 000008
【図７】
2006279472.tif 000009
【図８】
2006279472.tif 000010
【図９】
2006279472.tif 000011
【図１０】
2006279472.tif 000012
【図１１】
2006279472.tif 000013